(57)【特許請求の範囲】
【請求項１】
所定階の直上階の外周壁に設けられた採光部と、
前記所定階の床に設けられた開口部である第一の通光部と、
前記所定階の直上階の床に設けられた開口部である第二の通光部と、
前記所定階の直下階に設けられ、前記第一の通光部を挟んで前記採光部とは反対側に位置し、前記採光部からの光が前記第一の通光部及び前記第二の通光部を介して直線的に到達する至光部と、
を備え、
前記第一の通光部は、前記所定階の床において前記至光部側に設けられた至光部側床領域と、前記所定階の床において前記採光部側に設けられると共に前記至光部側床領域よりも床レベルが低くなるように設けられた採光部側床領域との間に、平面視において前記採光部の延在方向と平行に延在するように形成され、
前記第二の通光部は、前記第一の通光部とは平面視において重ならず、且つ平面視において前記採光部の延在方向と平行に延在するように形成されている、建物。
【請求項２】
前記採光部側床領域における前記第一の通光部側の端縁には、透光性を有する手摺りが設けられている、請求項１に記載の建物。
【請求項３】
前記外周壁のうち前記採光部の下端に位置する端縁、及び前記至光部側床領域における前記第一の通光部側の端縁のうち、少なくともいずれかの端縁には、断面視において、前記採光部から前記至光部へ向かう光の進行方向に略並行な面取り部が設けられている、請求項１又は２に記載の建物。
【請求項４】
前記第一の通光部には、前記所定階と所定階の直下階との間を昇降するための第一の直階段が備えられ、
前記第二の通光部には、前記所定階の直上階と所定階との間を昇降するための第二の直階段が備えられ、
前記第一の直階段と前記第二の直階段の昇降方向は、前記所定階の直上階の前記外周壁の延在方向と同じである、請求項１から３のいずれか一項に記載の建物。
【請求項５】
前記所定階の直上階の床における他の領域よりも床レベルが高い高床領域が、少なくとも前記第二の通光部の前記採光部に平行な辺に沿うとともに前記他の領域に連続して設けられている、請求項１から４のいずれか一項に記載の建物。
【発明の詳細な説明】
【技術分野】
【０００１】
本発明の一側面は、建物に関する。
【背景技術】
【０００２】
外周壁に面して吹抜け空間を設けるとともに、当該外周壁に窓を設けることによって室内空間の採光を確保した建物がある。このような建物が、例えば特許文献１に記載されている。
【先行技術文献】
【特許文献】
【０００３】
【特許文献１】特開２００２−１９４９０１号公報
【発明の概要】
【発明が解決しようとする課題】
【０００４】
特許文献１に記載された建物は、外周壁に面した吹抜け空間内には窓からの光を到達させ易いものの、外周壁から離れた空間には窓からの光を到達させ難い。このように、建物においては、採光部が設けられた外周壁から離れた空間においても光を到達させることが求められている。
【０００５】
そこで、本発明の一側面は、採光部が設けられた外周壁から離れた空間においても光を到達させることが可能な建物を提供することを目的とする。
【課題を解決するための手段】
【０００６】
本発明の一側面に係る建物は、所定階の直上階の外周壁に設けられた採光部と、所定階の床に設けられた開口部である第一の通光部と、所定階の直上階の床に設けられた開口部である第二の通光部と、所定階の直下階に設けられ、第一の通光部を挟んで採光部とは反対側に位置し、採光部からの光が第一の通光部及び第二の通光部を介して直線的に到達する至光部と、を備え、第一の通光部は、所定階の床において至光部側に設けられた至光部側床領域と、所定階の床において採光部側に設けられると共に至光部側床領域よりも床レベルが低くなるように設けられた採光部側床領域との間に、平面視において採光部の延在方向と平行に延在するように形成され、第二の通光部は、第一の通光部とは平面視において重ならず、且つ平面視において採光部の延在方向と平行に延在するように形成されている。
【０００７】
この建物では、採光部側床領域が至光部側床領域よりも床レベルが低くなっていることにより、この床の段差を利用して、第一の通光部を介して多くの光を採光部から至光部へ導くことができる。すなわち、第一の通光部の周囲の床に段差が設けられているので、段差が無い場合よりも光が通る光路幅を広くすることができる。これにより、光を到達させたい空間である至光部が、採光部が設けられた外周壁から離れていても、至光部に多くの光を到達させることができる。
【０００８】
採光部側床領域における第一の通光部側の端縁には、透光性を有する手摺りが設けられていてもよい。この場合には、手摺りを設けることによって至光部への採光の効率が低下することを抑制できる。
【０００９】
外周壁のうち採光部の下端に位置する端縁、及び至光部側床領域における第一の通光部側の端縁のうち、少なくともいずれかの端縁には、断面視において、採光部から至光部へ向かう光の進行方向に略並行な面取り部が設けられていてもよい。この場合には、これらの端縁が光の進行を遮ることを抑制でき、至光部への採光効率を高めることができる。
【００１１】
建物において、第一の通光部には、所定階と所定階の直下階との間を昇降するための第一の直階段が備えられ、第二の通光部には、所定階と所定階の直上階との間を昇降するための第二の直階段が備えられ、第一の直階段と第二の直階段の昇降方向は、所定階の直上階の外周壁の延在方向と同じであってもよい。これにより、採光部から至光部へ向けて進む光を第一の直階段及び第二の直階段が阻害することを抑制できる。従って、至光部への採光効率を高めることができる。
【００１２】
所定階の直上階の床における他の領域よりも床レベルが高い高床領域が、少なくとも第二の通光部の採光部に平行な辺に沿うとともに他の領域に連続して設けられていてもよい。所定階の直上階の床に高床領域が設けられていることにより、第二の通光部周りの床の段差を利用して、第二の通光部を介して多くの光を採光部から至光部へ導くことができる。
【発明の効果】
【００１３】
本発明の一側面によれば、採光部が設けられた外周壁から離れた空間においても、光を到達させることができる。
【図面の簡単な説明】
【００１４】
【図１】実施形態に係る建物の１階の間取りを示す平面図である。
【図２】実施形態に係る建物の２階の間取りを示す平面図である。
【図３】実施形態に係る建物の３階の間取りを示す平面図である。
【図４】図１におけるＩＶ−ＩＶ線に沿った断面図である。
【図５】図１におけるＶ−Ｖ線に沿った断面図である。
【図６】図１におけるＶＩ−ＶＩ線に沿った断面図である。
【図７】採光窓から至光部に光が導かれる様子を模式的に示す断面図である。
【図８】変形例に係る建物であって、採光窓から至光部までの光路を平面視で模式的に示した平面図である。
【図９】変形例に係る建物を模式的に示す断面図である。
【発明を実施するための形態】
【００１５】
以下、本発明の実施形態について図面を参照しながら説明する。なお、図面の説明において同一の要素には同一の符号を付し、重複する説明を省略する。
【００１６】
図１〜図６に示すように、建物Ｘは、平面視で略矩形状に形成された外周壁Ｗによって囲まれた３階建ての住宅用建物である。本実施形態では、部屋等の配置説明を容易にするため、図１〜図３の方位記号が示す通り、上方向を北側として説明する。
【００１７】
建物Ｘの１階（Ｎ−２階）について説明する。図１及び図４〜図６に示すように、建物Ｘの１階には、玄関土間１０、１階居間１１、及びダイニングキッチン１２が設けられている。玄関土間１０は、１階の南東の角部に設けられている。玄関土間１０の南側には、玄関ドア１０ａが設けられている。１階居間１１は、玄関土間１０の北側に隣接し、且つ外周壁Ｗの東側外周壁Ｗ１及び北側外周壁Ｗ２に沿って設けられている。１階居間１１と玄関土間１０との間には、開閉可能な建具１０ｂが設けられている。ダイニングキッチン１２は、１階の南西の角部に設けられている。すなわち、ダイニングキッチン１２の東側及び北側は、平面視でＬ字状に設けられた１階居間１１によって囲まれている。
【００１８】
図２及び図４〜図６に示すように、建物Ｘの２階（Ｎ−１階）には、２階居間２０、及び寝室２１が設けられている。２階居間２０は、２階の南側の位置に設けられている。２階居間２０の床２０ｆにおける北西の角部と、外周壁Ｗの西側外周壁Ｗ３とは離間している。すなわち、２階居間２０の北西の角部と西側外周壁Ｗ３との間に第二の吹抜け部Ｒ２が設けられている。第二の吹抜け部Ｒ２は、１階のダイニングキッチン１２の床から３階の天井に亘って設けられている。第二の吹抜け部Ｒ２は、ダイニングキッチン１２、２階居間２０及び後述する３階居室３０に隣接するとともに、ダイニングキッチン１２、２階居間２０及び３階居室３０に連通している。第二の吹抜け部Ｒ２は、平面視において、南北方向に延びている。
【００１９】
２階居間２０の床２０ｆには、開口部（第一の通光部）２０ｃが設けられている。開口部２０ｃは、南北方向に延びている。開口部２０ｃは、東側外周壁Ｗ１と所定距離離間している。開口部２０ｃの端縁と、１階居間１１の床とは、第一の直階段Ｓ１によって接続されている。第一の直階段Ｓ１は、開口部２０ｃを介して１階と２階との間を昇降するための階段である。第一の直階段Ｓ１の昇降方向は、南北方向に延びている。第一の直階段Ｓ１は、南側から北側に向かって下る向きに設けられている。平面視において、第二の吹抜け部Ｒ２と開口部２０ｃとは、南北方向の位置がほぼ同じとなっている。
【００２０】
寝室２１は、２階の北東の角部に設けられている。寝室２１と西側外周壁Ｗ３とは離間している。２階居間２０の北西の角部と北側外周壁Ｗ２とは離間している。すなわち、寝室２１の西側に第一の吹抜け部Ｒ１が形成されている。第一の吹抜け部Ｒ１は、１階居間１１の床から２階の天井に亘って設けられている。すなわち、１階居間１１の北西の角部は、第一の吹抜け部Ｒ１となっている。
【００２１】
第一の吹抜け部Ｒ１と第二の吹抜け部Ｒ２とは、西側外周壁Ｗ３に沿って、南北方向において互いに連通している。２階居間２０の床２０ｆにおける第一の吹抜け部Ｒ１に面する端縁を端縁２０ｆａとする。第二の吹抜け部Ｒ２は、床２０ｆの端縁２０ｆａに対して直交する端縁２０ｆｂに沿って設けられている。
【００２２】
２階居間２０は、基準床部２０ａ、及び低床部２０ｂを有している。低床部２０ｂは、第二の吹抜け部Ｒ２と開口部２０ｃとの間に設けられている。基準床部２０ａは、低床部２０ｂの南側、及び開口部２０ｃの東側に広がっている。低床部２０ｂは、基準床部２０ａよりも床レベルが低い。
【００２３】
低床部２０ｂにおける開口部２０ｃ側（東側）の端縁には、南北方向に延びる手摺り２２ａが設けられている。手摺り２２ａは、透光性を有する。低床部２０ｂにおける第一の吹抜け部Ｒ１に面する側（北側）の端縁２０ｆａには、東西方向に延びる手摺り２２ｂが設けられている。手摺り２２ｂは、透視性を有する。低床部２０ｂにおける第二の吹抜け部Ｒ２に面する側（西側）の端縁２０ｆｂには、南北方向に延びる手摺り２２ｃが設けられている。手摺り２２ｃは透視性を有する。手摺り２２ａ〜２２ｃとして、例えば、線材を格子状に配置して形成された手摺り、或いは、透明な板材等で形成された腰壁状の手摺り等を用いることができる。
【００２４】
図３及び図４〜図６に示すように、建物Ｘの３階（Ｎ階）には、３階居室３０、洗面・浴室３１、及びベランダ３２が設けられている。３階居室３０は、３階の南側の位置に設けられている。３階居室は、基準床部３０ａ、及び低床部３０ｂを有している。低床部３０ｂは、３階居室の北東の角部に設けられている。低床部３０ｂは、基準床部３０ａよりも床レベルが低い。３階居室の床３０ｆには、開口部（第二の通光部）３０ｃが設けられている。開口部３０ｃは、西側外周壁Ｗ３に隣接し、南北方向に延びている。
【００２５】
建物Ｘの３階において第二の吹抜け部Ｒ２には、第二の直階段Ｓ２が設けられている。第二の直階段Ｓ２は、開口部３０ｃの端縁と、２階居間２０の床２０ｆとを接続している。第二の直階段Ｓ２は、開口部３０ｃを介して２階と３階との間を昇降するための階段である。第二の直階段Ｓ２の昇降方向は、南北方向に延びている。第二の直階段Ｓ２は、北側から南側に向かって下る向きに設けられている。すなわち、平面視において、第二の直階段Ｓ２の上り方向は、第一の吹抜け部Ｒ１側に向かう方向である。第一の直階段Ｓ１と第二の直階段Ｓ２とは、平面視において、昇降方向が互いに平行であり、昇降方向が互いに逆方向となっている。
【００２６】
平面視において、３階の床３０ｆに設けられた開口部３０ｃと、２階の床２０ｆに設けられた開口部２０ｃとは、南北方向の位置がほぼ同じとなっている。床３０ｆには、開口部３０ｃの東側及び南側の端縁に沿って腰壁３３が設けられている。
【００２７】
西側外周壁Ｗ３における開口部３０ｃの近傍には、開口部Ｗ３ａが設けられている。開口部Ｗ３ａは、３階の床３０ｆから３階の天井に亘って設けられている。開口部Ｗ３ａには、採光窓（採光部）３４が取り付けられている。本実施形態において、採光窓３４は、折れ戸式の窓である。但し、採光窓３４の種類は折れ戸式に限定されない。
【００２８】
洗面・浴室３１は、３階居室の北側に設けられている。ベランダ３２は、洗面・浴室３１の北側に設けられている。
【００２９】
次に、建物の１階と２階との上下方向の関係について説明する。主に図６に示すように、ダイニングキッチン１２の上方には、２階居間２０が位置している。第一の吹抜け部Ｒ１は、ダイニングキッチン１２及び２階居間２０に隣接するとともに、ダイニングキッチン１２及び２階居間２０に連通している。ダイニングキッチン１２の床１２ｆと第一の吹抜け部Ｒ１の床Ｒ１ｆとは連続している。２階居間２０の天井と第一の吹抜け部Ｒ１の天井とは連続している。第一の吹抜け部Ｒ１の床Ｒ１ｆは、ダイニングキッチン１２側（南側）よりも、ダイニングキッチン１２側とは反対側（北側）が高い雛壇状に形成されている。
【００３０】
建物Ｘの２階において、低床部２０ｂは、基準床部２０ａよりも床レベルが低い。すなわち、第一の吹抜け部Ｒ１、低床部２０ｂ及び基準床部２０ａを通るように２階居間２０を南北方向に沿って見たときに、２階居間２０の床２０ｆは、第一の吹抜け部Ｒ１側（北側）が第一の吹抜け部Ｒ１側とは反対側（南側）よりも低い雛壇状に形成されている。
【００３１】
ダイニングキッチン１２の天井のうち、低床部２０ｂの直下に位置する部分の天井１２ａの高さは、基準床部２０ａの直下に位置する部分の天井１２ｂの高さよりも低い。ダイニングキッチン１２において、低床部２０ｂの直下には、テーブル１２ｃが設けられている。すなわち、テーブル１２ｃは、ダイニングキッチン１２において天井高さが低い位置に設けられている。テーブル１２ｃは、雛壇状に形成された第一の吹抜け部Ｒ１の床Ｒ１ｆの段差部分に近接する位置に配置されている。テーブル１２ｃの周囲に、椅子１２ｄが設けられていてもよい。
【００３２】
第一の吹抜け部Ｒ１の床Ｒ１ｆの最上段部には、着座装置１１ａが設けられている。着座装置１１ａは、例えば、ソファー、ベンチ、堀座卓等、着座が可能な装置である。
【００３３】
第一の吹抜け部Ｒ１の床Ｒ１ｆには、床下収納Ｒ１ａが設けられている。床下収納Ｒ１ａは、雛壇状に形成された床Ｒ１ｆの段差部分を利用して、側面に開口を有し横方向に収納部を引き出し可能な引き出し式の収納であってもよい。また、床下収納Ｒ１ａは、上面の蓋が開閉可能に設けられた掘り込み式の収納であってもよい。
【００３４】
図１、図２及び図６に示すように、第一の吹抜け部Ｒ１には、床Ｒ１ｆの最上段部と２階の寝室２１との間を昇降するための梯子１１ｂが設けられている。なお、寝室２１における第一の吹抜け部Ｒ１に面する側の壁２１ａには、開口部２１ｂが設けられている。寝室２１と第一の吹抜け部Ｒ１の床Ｒ１ｆとは、梯子１１ｂを用いて開口部２１ｂを介して往来することができる。寝室２１と第一の吹抜け部Ｒ１の床Ｒ１ｆとの間を昇降可能な装置であれば、梯子１１ｂ以外の装置（例えば固定式の階段）を用いてもよい。
【００３５】
次に、建物Ｘの採光について説明する。ここでは、３階の西側外周壁Ｗ３に設けられた採光窓３４から取り込んだ光を、１階に導く場合について説明する。ここで、図１に示すように、１階において光が導かれる領域を至光部Ａ３とする。図７に示すように、至光部Ａ３は、２階の床２０ｆに設けられた開口部２０ｃよりも下方に位置している。至光部Ａ３は、採光窓３４と、開口部２０ｃとをつなぐ直線上に位置している。すなわち、至光部Ａ３は、１階居間１１において第一の直階段Ｓ１の東側の領域である。
【００３６】
なお、３階の床３０ｆに設けられた開口部３０ｃは、採光窓３４と、２階の床２０ｆに設けられた開口部２０ｃとをつなぐ直線上に位置している。すなわち、採光窓３４、３階の床３０ｆに設けられた開口部３０ｃ、２階の床２０ｆに設けられた開口部２０ｃ、及び至光部Ａ３は、平面視において、南北方向の位置がほぼ同じとなっている。
【００３７】
図２に示すように、平面視において、２階の床２０ｆにおける開口部２０ｃよりも至光部Ａ３側（東側）の領域を至光部側床領域Ａ２とする。また、平面視において、２階の床２０ｆにおける開口部２０ｃよりも採光窓３４側（西側）の領域を採光部側床領域Ａ１とする。採光部側床領域Ａ１とは、低床部２０ｂの床部分である。上述したように、低床部２０ｂは、基準床部２０ａよりも床レベルが低い。すなわち、採光部側床領域Ａ１は、至光部側床領域Ａ２よりも床レベルが低い。採光部側床領域Ａ１は、平面視において、３階の床３０ｆに設けられた開口部３０ｃと、２階の床２０ｆに設けられた開口部２０ｃとの間に位置している。
【００３８】
西側外周壁Ｗ３における開口部Ｗ３ａの端縁のうち、採光窓３４の下端に位置する端縁には、図７に示すように断面視において、採光窓３４から至光部Ａ３へ向かう光の進行方向に略並行な（進行方向に沿った）面取り部Ｗ３ｂが設けられている。なお、断面視における断面とは、建物Ｘを鉛直方向に切った場合の断面である。至光部側床領域Ａ２における開口部２０ｃ側（西側）の端縁には、図７に示すように断面視において、採光窓３４から至光部Ａ３へ向かう光の進行方向に略並行な面取り部Ａ２ａが設けられている。３階の床３０ｆにおける開口部３０ｃの端縁のうち、至光部Ａ３側に位置する端縁には、図７に示すように断面視において、採光窓３４から至光部Ａ３へ向かう光の進行方向に略並行な面取り部３０ｄが設けられている。
【００３９】
採光窓３４から建物Ｘ内に入射した光は、３階の床３０ｆに設けられた開口部３０ｃ、２階の床２０ｆに設けられた開口部２０ｃを介して至光部Ａ３に到達する。
【００４０】
本実施形態は以上のように構成され、例えば図７に示すように建物Ｘの２階において、採光部側床領域Ａ１が至光部側床領域Ａ２よりも床レベルが低くなっている。これにより、この床の段差を利用して、２階の床２０ｆに設けられた開口部２０ｃを介して多くの光を採光窓３４から至光部Ａ３へ導くことができる。すなわち、開口部２０ｃの周囲の床２０ｆに段差が設けられているので、段差が無い場合よりも光が通る光路幅を広くすることができる。従って、光を到達させたい空間である至光部Ａ３が、採光窓３４が設けられた西側外周壁Ｗ３から離れていても、至光部Ａ３に多くの光を到達させることができる。
【００４１】
また、採光部側床領域Ａ１は、至光部側床領域Ａ２よりも床レベルが低い。このため、例えば、採光部側床領域Ａ１上に物が置かれていても、採光窓３４から開口部２０ｃへ向かう光が、採光部側床領域Ａ１上に置かれた物によって遮られることを抑制できる。
【００４２】
２階の採光部側床領域Ａ１における開口部２０ｃ側（東側）の端縁には、透光性を有する手摺り２２ａが設けられている。この場合、手摺り２２ａを設けることによって採光窓３４から至光部Ａ３への採光の効率が低下することを抑制できる。
【００４３】
西側外周壁Ｗ３の開口部Ｗ３ａの端縁には、面取り部Ｗ３ｂが設けられている。２階の至光部側床領域Ａ２における開口部２０ｃ側（西側）の端縁には面取り部Ａ２ａが設けられている。３階の床３０ｆの開口部３０ｃの端縁には面取り部３０ｄが設けられている。これらの端縁に面取り部を設けることによって、これらの端縁が光の進行を遮ることを抑制でき、至光部Ａ３への採光効率を高めることができる。
【００４４】
採光窓３４は３階に設けられ、開口部３０ｃは３階の床３０ｆに設けられ、開口部２０ｃは２階の床２０ｆに設けられ、至光部Ａ３は１階に設けられている。採光部側床領域Ａ１は、２階に設けられている。このように、建物Ｘが３層構成であったとしても、３階に設けられた採光窓３４から、開口部３０ｃ、及び開口部２０ｃを介して１階に設けられた至光部Ａ３に多くの光を到達させることができる。
【００４５】
以上、本発明の実施形態について説明したが、本発明は、上記実施形態に限定されるものではない。例えば、図８に示すように、平面視において、２階の床２０ｆに設けられた開口部２０ｃが採光窓３４よりも南北方向において南側に位置していてもよい。すなわち、採光窓３４と２階の床２０ｆに設けられた開口部２０ｃとをつなぐ直線と、第一の直階段Ｓ１の昇降方向とが垂直以外の角度で交差していてもよい。この場合、３階の床３０ｆに設けられた開口部３０ｃは、平面視において、採光窓３４と２階の床２０ｆに設けられた開口部２０ｃとをつなぐ直線上に位置している。第一の直階段Ｓ１と第二の直階段Ｓ２とは、平面視において、昇降方向が同じとなっている。また、第一の直階段Ｓ１及び第二の直階段Ｓ２は、平面視において、採光窓３４から至光部Ａ３へ向かう光の進行方向側（矢印Ｚで示す方向）に向かって下っている。なお、採光窓３４から至光部Ａ３へ向かう光の進行方向とは、採光窓３４と２階の床２０ｆに設けられた開口部２０ｃとをつなぐ直線上に沿った方向である。具体的には、採光窓３４から至光部Ａ３へ向かう光の進行方向は、東西方向（第一の直階段Ｓ１の昇降方向に対して垂直な方向）に対して南側にずれている。このため、第一の直階段Ｓ１及び第二の直階段Ｓ２は、北側から南側へ向けて下っている。すなわち、第一の直階段Ｓ１及び第二の直階段Ｓ２は、採光窓３４から至光部Ａ３へ向けて光が下り方向に進むに従って下っている。
【００４６】
また、図８に示すように、第一の直階段Ｓ１の下端部（南側の端部）の位置は、第二の直階段Ｓ２の下端部（南側の端部）の位置よりも、第一の直階段Ｓ１の昇降方向に沿った下り方向側に位置している。すなわち、第一の直階段Ｓ１の下端部の位置は、第二の直階段Ｓ２の下端部の位置よりも、南側に位置している。これにより、採光窓３４から至光部Ａ３へ向けて進む光を、第一の直階段Ｓ１及び第二の直階段Ｓ２が阻害することを抑制できる。従って、至光部Ａ３への採光効率を高めることができる。
【００４７】
また、図９に示すように、３階における開口部３０ｃ周りの床を基準高さよりも高くしてもよい。具体的には、３階において、３階の床３０ｆにおける開口部３０ｃよりも至光部Ａ３側の領域に高床部（高床領域）３０ｇを設ける。高床部３０ｇ以外の部分は、３階の基準床レベルとなる基準床部３０ｅとする。高床部３０ｇは、基準床部３０ｅよりも床レベルが高い。この場合には、２階の開口部２０ｃ周りの床２０ｆの段差と同様に、開口部３０ｃ周りの床３０ｆの段差を利用して、開口部３０ｃを介して多くの光を採光窓３４から至光部Ａ３へ導くことができる。
【００４８】
開口部Ｗ３ａに設けられた採光窓３４を介して建物Ｘ内に光を取り込んだが、採光窓３４が設けられることに限定されない。例えば、採光窓３４を設けずに、開口部（採光部）Ｗ３ａを介して光を建物Ｘ内に取り込んでもよい。
【００４９】
また、上記実施形態及び変形例では、３階建ての建物Ｘを例に説明したが、３階建てに限定されない。上記で説明した建物Ｘの各部屋の用途は一例であり、各部屋の用途は限定されない。
【符号の説明】
【００５０】
２０ｃ…開口部（第一の通光部）、２０ｆ…床（採光部よりも下方に位置する床）、３０ｃ…開口部（第二の通光部）、３０ｄ，Ａ２ａ，Ｗ３ｂ…面取り部、３０ｇ…高床部（高床領域）、３４…採光窓（採光部）、Ａ１…採光部側床領域、Ａ２…至光部側床領域、Ａ３…至光部、Ｓ１…第一の直階段、Ｓ２…第二の直階段、Ｘ…建物。
【図１】
0006584763.tif 000002
【図２】
0006584763.tif 000003
【図３】
0006584763.tif 000004
【図４】
0006584763.tif 000005
【図５】
0006584763.tif 000006
【図６】
0006584763.tif 000007
【図７】
0006584763.tif 000008
【図８】
0006584763.tif 000009
【図９】
0006584763.tif 000010